(57)【特許請求の範囲】
【請求項１】
天板、底板、側板、妻板、および、前記天板に形成された起立自在な複数の手提片を有する手提箱において、該手提箱の、前記天板上に、着脱自在な小箱を取り付けてなる、手提箱であって、
前記小箱は、該小箱が挟まれる間隔に配設された２片の手提片間に、取り付けられることを特徴とする、手提箱。
【請求項２】
天板、底板、側板、妻板、および、前記天板に形成された起立自在な複数の手提片を有する手提箱において、該手提箱の、前記天板上に、着脱自在な小箱を取り付けてなる、手提箱であって、
少なくとも２片の前記手提片に形成された、前記小箱が挿通可能な孔からなる一対の手提孔に、前記小箱を差し込んで、前記小箱を一体化させたことを特徴とする、手提箱。
【請求項３】
前記手提片に形成された前記手提孔に、くびれ部を設けることにより、差し込んだ前記小箱を安定して保持可能としたことを特徴とする、請求項１又は請求項２に記載の手提箱。
【請求項４】
手提片を２片とし、これら手提片の相対向する面に、手提片同士を接合する接合手段を設けた請求項１乃至３に記載の手提箱。
【発明の詳細な説明】
【０００１】
【発明の属する技術分野】
本発明は、密接な関係にある２体の箱を一体化する簡便な手提箱に関する。例えば、デコレーションケーキ等をケーキ地とイチゴ等の添付物とに分離して別々の箱に収納し、これら２体の箱を一体化するものであり、特に、大きい方の箱の天板中央部に設けられる手提片部に、添付物を収納した小箱が着脱自在に取り付けられることに特徴がある。
【０００２】
【従来の技術】
従来公知の単一の箱に収納されたケーキ等は、イチゴ等が載せられた完成品として販売されていた。イチゴ等の果実類が直接ケーキ地等に触れると日持ちが芳しくなく、ケーキの賞味期限が短縮される短所がある。このため、特にクリスマスの時期などはケーキを前もって大量に生産しておけない不都合があった。また、運搬の最中に、イチゴ等の位置がずれて商品価値を低下させることが少なくなかった。
これらに対処するために、イチゴ等とケーキ地等とを分離して別々の箱に収納し、この２体の箱を一体化する考案がなされている。
実公昭６２ー４０８９６号公報「箱」は、図８に示すように、大箱（Ｖ）の天板の両側縁部に折込段部（７０）を設け、そこに別体の小箱（Ｗ）を嵌入させて取り付けるようにしたものである。
この考案によると、イチゴ等の添付物はケーキ地等の本体とは独立の箱に収納されるのでこれらが接触することがなく、また、添付物の分量に応じて小箱（Ｗ）の数を１或いは２に調節でき、更に、小箱（Ｗ）の一部に庇部（７１）を添設することによって折込段部（７０）との間に隙間が生じることを防止できる等の効果がある。
しかし、これは、小箱（Ｗ）の取り付け方法が嵌入によるので、保持は摩擦に頼っているため、運搬時の衝撃等で外れてしまう不安がある。また、折込段部（７０）が折り込まれていない状態では、小箱（Ｗ）が取り付けられているか否か区別し難く小箱（Ｗ）を付け忘れてしまう場合があり得る。更に、折込段部（７０）が内側に凹んでいるので、収納物の容量に対する制限が伴う。
他方、実公昭５９ー２９８５９号公報「ケーキ等の包装箱」は、図９に示すように、大箱（Ｘ）の天板の上に小箱（Ｙ）が載置されるので小箱（Ｙ）の付け忘れは防止できるが、その位置が天板の側縁部であり、保持を小箱（Ｙ）の係止舌片（８０）の係合に頼っているため、この例も運搬時の安定性に不安が残る。
【０００３】
【発明が解決しようとする課題】
本発明は従来技術の有する上記問題点に鑑みて創出されたものであり、その目的は、添付物の収納される小箱を本体の収納される大箱に取り付けて、添付物と本体とが接触することを防止して収納物の鮮度等を保ち商品価値を維持する効果のある箱を提供することである。ここで、小箱の取り付けを簡便ながら十全にできるようにして運搬時の安定性に供すると共に、小箱の存在を目立たせることによって取り付け忘れを防止することに本発明の主眼がある。
【０００４】
【課題を解決するための手段】
上記目的を達成する本発明の手提箱は、以下のような構成をしている。すなわち、天板、底板、側板、妻板、および、前記天板に形成された起立自在な複数の手提片を有する手提箱において、該手提箱の、前記天板上に、着脱自在な小箱を取り付けてなる、手提箱であって、前記小箱は、該小箱が挟まれる間隔に配設された２片の手提片間に、取り付けられる。或いは、少なくとも２片の前記手提片に形成された、前記小箱が挿通可能な孔からなる一対の手提孔に、前記小箱を差し込んで、前記小箱を一体化させてもよい。さらには、前記手提片に形成された前記手提孔に、くびれ部を設けることにより、差し込んだ前記小箱を安定して保持可能としてもよく、手提片を２片とし、これら手提片の相対向する面に、手提片同士を接合する接合手段を設けて手提片を一体化することで運搬の便に供してもよい。
【０００５】
【発明の実施の形態】
以下、本発明の実施の形態を図面の例に基づいて説明する。
図１は、大箱（Ａ）を折り畳んで組み立てるための厚紙の展開図である。
図面の座標系において上方より順に、側板（１１）、天板（１０）、側板（１１）、底板（１２）、貼着片（１３）が折り目を介して連接し、側板（１１）の左右には舌片（１４）、天板（１０）の左右にはカバー板（１５）、底板（１２）の左右には妻板（１６）がそれぞれ折れ目を介して連接している。
妻板（１６）のほぼ中央部には、コの字状の切溝（１６ａ）が設けられ、カバー板（１５）の側縁に設けられた係止片（１５ａ）が嵌入して蓋されるようになっている。  天板（１０）の中央部には、台形の底辺を成す折れ目（２３）と残り３辺を成す切れ目（２２）とによって、台形状の手提片（２０）が一対起立自在に穿設されている。この手提片（２０）には、手提孔（２１）が切り抜かれている。
天板（１０）の内面にはセロハン等の透明紙（１７）が張り付けられていて、気密と収納物目視に供している。
このような一枚の厚紙を折り畳むことによって、天板（１０）に一対の手提片（２０）が備わった略直方体の大箱（Ａ）が形成される。この大箱（Ａ）には、例えばデコレーションケーキのケーキ地が収納される。
【０００６】
図３は、小箱（Ｃ）を折り畳んで組み立てるための厚紙の展開図であり、図４は、この小箱（Ｃ）を大箱（Ａ）に取り付ける状態を示す斜視説明図である。
小箱（Ｃ）を作る厚紙は、図３の座標系において右方より順に、側板（５１）、天板（５２）、側板（５１）、底板（５０）、貼着片（５３）が折り目を介して連接していて、これを折り畳んで組み立てると両端の開口した筒状になる。
この小箱（Ｃ）の開口部から、図４に示すような添付物収納ケース（Ｄ）が出入される。
添付物収納ケース（Ｄ）は、上面が開口された深皿状をしていて、例えばデコレーションケーキに添付するイチゴを収納し易いように仕切り（６１）が設けられる。
小箱（Ｃ）の底板（５０）の両端近くには、添付物収納ケース（Ｄ）の底面端部を係止する係止舌片（５４）が起立自在に穿設されていて、添付物収納ケース（Ｄ）が外れ出ないように構成されている。
そして、底板（５０）の外面中央部には、粘着テープ（５５）が貼着されていて、大箱（Ａ）の天板（１０）上に貼着固定される。小箱（Ｃ）の底板（５０）の幅と一対の手提片（２０）の間隔とをほぼ一致させてあるので、小箱（Ｃ）が一対の手提片（２０）の間に丁度挟まって安定性が高まる。
なお、粘着テープ（５５）等の貼着手段は、小箱（Ｃ）にではなく、大箱（Ａ）の手提片（２０）近くの天板（１０）上に設けてもよい。
以上のように、本発明の手提箱は、デコレーションケーキのケーキ地等が収納される大箱（Ａ）に、イチゴ等を収納した小箱（Ｃ）が添着一体化されて、品質保持や運搬等の便に供される。
【０００７】
図２は、図１とは別例の大箱（Ｂ）の展開図である。
大箱（Ａ）の場合と同様に、図面の座標系において上方より順に、側板（３１）、天板（３０）、側板（３１）、底板（３２）、貼着片（３３）が折り目を介して連接し、側板（３１）の左右には舌片（３４）、天板（３０）の左右にはカバー板（３５）、底板（３２）の左右には妻板（３６）がそれぞれ折れ目を介して連接している。
妻板（３６）のほぼ中央部には、コの字状の切溝（３６ａ）が設けられ、カバー板（３５）の側縁に設けられた係止片（３５ａ）が嵌入して蓋されるようになっている。
天板（３０）の中央部には、折れ目（４３）と切れ目（４２ａ）（４２ｂ）（４２ｃ）とによって、略台形状の手提片（４０）が一対起立自在に穿設されている。この手提片（４０）には、手提孔（４１）が切り抜かれている。
天板（３０）の内面にはセロハン等の透明紙（３７）が張り付けられていて、気密と収納物目視に供している。
このような一枚の厚紙を折り畳むことによって、天板（３０）に一対の手提片（４０）が備わった略直方体の大箱（Ｂ）が形成される。
【０００８】
この大箱（Ｂ）の手提孔（４１）は、小箱（Ｃ）を丁度挿通できる形状になっているので、図５の斜視図に示すように、一対の手提孔（４１）に小箱（Ｃ）を差し込んで一体化させることができる。
この場合は、手提片（４０）によって、小箱（Ｃ）が囲まれるので、大箱（Ｂ）や小箱（Ｃ）に粘着テープ（５５）等の貼着材を設ける必要は特にない。
【０００９】
手提片（４０）は、折れ目（４３）を軸として、天板（３０）から起立させられるので、天板（３０）素材の弾性によって図５に示すように、一対の手提片（４０）同士が互いに離れて安定する傾向がある。すると、手提片（４０）を把持して運搬する際、２片の手提片（４０）を逐一まとめる手間がかかる。
そこで、図６の正面図に示すように、手提片（４０）の相対向する面に粘着材（４４）を貼着して、２片の手提片を一体化することで運搬の便に供してもよい。
手提片（４０）同士を接合する接合手段は、粘着材（４４）の他に、マジックテープ等を用いてもよいし、手提片（４０）自体に凹凸を設けてそれらの嵌合によってもよい。
【００１０】
また、図６に示すように、手提孔（４１）にくびれ部（４５）を設けて、差し込んだ小箱（Ｃ）の安定保持に供してもよい。
【００１１】
他方、図７は、図２とは別例の大箱（Ｂ）の天板（３０）を示すものである。この手提片（４０）は、天板（３０）の対角線方向に配設されていて、切れ目（４２ｄ）（４２ｅ）の各末端に、円弧状をした独立の折れ目（４３ａ）が設けられている。
このように、手提片（４０）を天板（３０）の対角線方向に配設することによって、長めの小箱（Ｃ）を挿通保持することが可能になる。
なお、本発明の構成は、本発明の主旨から逸脱しない限り適宜設計変更可能なものである。
【００１２】
【発明の効果】
本発明は以上の構成を備えることによって次の効果を奏する。
すなわち、添付物の収納される小箱が、本体の収納される大箱に取り付けられて、添付物と本体とが接触することが防止され収納物の鮮度等が保たれ商品価値が維持される。
ここで、小箱の取り付けが簡便ながら十全になされることで運搬時の安定性が高まり、小箱の存在が目立つことで小箱の取り付け忘れが防止される。
なお、手提片を２片とし、これら手提片の相対向する面に粘着材を添装して、手提片を一体化すると運搬時の利便に効果がある。
【図面の簡単な説明】
【図１】大箱（Ａ）の展開図
【図２】大箱（Ｂ）の展開図
【図３】小箱（Ｃ）の展開図
【図４】小箱（Ｃ）と添付物収納ケース（Ｄ）を大箱（Ａ）へ取り付ける状態を示す斜視説明図
【図５】小箱（Ｃ）と添付物収納ケース（Ｄ）を大箱（Ｂ）へ取り付けた状態を示す斜視図
【図６】図２とは別の大箱（Ｂ）の手提片を示す正面図
【図７】図２とは別の大箱（Ｂ）の天板を示す平面図
【図８】従来例を示す斜視図
【図９】図８とは別の従来例を示す斜視図
【符号の説明】
Ａ、Ｂ    大箱
Ｃ        小箱
Ｄ        添付物収納ケース
Ｖ、Ｘ    従来例の大箱
Ｗ、Ｙ    従来例の小箱
Ｚ        従来例の添付物収納ケース
１０、３０        天板
１１、３１        側板
１２、３２        底板
１３、３３        貼着片
１４、３４        舌片
１５、３５        カバー板
１５ａ、３５ａ    係止片
１６、３６        妻板
１６ａ、３６ａ    切溝
１７、３７        透明紙
２０、４０        手提片
２１、４１        手提孔
２２、４２ａ、４２ｂ、４２ｃ、４２ｄ、４２ｅ、４２ｆ    切れ目
２３、４３、４３ａ    折れ目
４４    粘着材
４５    くびれ部
５０    底板
５１    側板
５２    天板
５３    貼着片
５４    係止舌片
５５    粘着テープ
６０    収納部
６１    仕切り
７０    折込段部
７１    庇部
８０    係止舌片
【図１】
0004020456.tif 000002
【図２】
0004020456.tif 000003
【図３】
0004020456.tif 000004
【図４】
0004020456.tif 000005
【図５】
0004020456.tif 000006
【図６】
0004020456.tif 000007
【図７】
0004020456.tif 000008
【図８】
0004020456.tif 000009
【図９】
0004020456.tif 000010